Podtech/llm-jp-corpus-v4-ja_patent huggingface dataset:
(57)【要約】【課題】消防ポンプと高圧水ポンプを同時に有効に使用できるシステムを提供する。【解決手段】駆動源として消防自動車のエンジン１を共有するが、エンジンの回転数が互いのポンプ性能に影響を与えないようにエンジン１と高圧水ポンプ５の間にＴ／ＭＰＴＯ２と可変容量型油圧ポンプ３及び油圧モータ４等を設けた。この可変容量型油圧ポンプは、エンジンの入力回転数に関係なく、一定圧力、一定流量の制御を行うことができるため、油圧モータは一定回転を保つことができ、高圧ポンプより必要な放水量、放水圧力等の制御が可能となる。【選択図】　図１
2004097720.tif 000002
【特許請求の範囲】
【請求項１】
消防自動車のエンジンを駆動源として共有させ、可変容量型油圧ポンプ等を設けることにより、必要な放水量、放水圧力等を一定に制御できることを特徴とする消防ポンプと高圧水ポンプの同時使用可能なシステム。
【請求項２】
可変容量型油圧ポンプと油圧モータの間に方向制御弁を設けることにより、方向制御弁からは油圧モータに接続する流路と、油圧モータをバイパスする流路に分岐され、高圧水ポンプの運転が必要な時だけ方向制御弁を切り換え油圧モータを駆動させ、待機時は油圧モータに負荷のかからないアンロード流路となり、オイルタンク内のオイルの温度上昇を抑えることができることを特徴とする請求項１に記載したシステム
【発明の詳細な説明】
【０００１】
【発明の属する技術分野】本発明は消防自動車に搭載する高圧水ポンプを駆動させる方法を消防ポンプと駆動源を共有させ、可変容量型油圧ポンプ及び油圧モータ等を設けることにより有効に実施できるシステムに関するものである。
【０００２】
【従来の技術】従来、消防自動車のエンジンから高圧水ポンプを直接駆動させる方法をとっていた。もしくは、高圧水ポンプ専用のユニット化されたシステムを積載していた。
【０００３】
【発明が解決しようとする課題】この直接駆動方法及びユニット化されたシステムにおいては、次のような欠点があった。
（イ）直接駆動方法の場合
消防ポンプと高圧水ポンプは消防自動車のエンジンを駆動源として共有していた。そのため、これらの特性の異なるポンプを同時に使用したい時、ポンプ性能がエンジンの回転数に影響されるため、本来の放水性能が同時に得られず、どちらか一方だけを使うことを余儀なくされていた。
（ロ）ユニット化されたシステムを搭載した場合
消防自動車自体の装備と重複が生じ、重量の増加および積載スペースの確保が困難となっていた。また装備位置が限定されるため操作性の悪化につながっていた。
本発明は、これらの欠点を解決するためになされたものである。
【０００４】
【課題を解決するための手段】この課題を解決するために本発明は、消防自動車に搭載する消防ポンプと高圧水ポンプの同時使用の際、駆動源として消防自動車のエンジンを共有するが、エンジンの回転数が互いのポンプ性能に影響を与えないよう消防自動車のエンジンと高圧水ポンプの間にＴ／ＭＰＴＯと可変容量型油圧ポンプ及び油圧モータ等を設けた。また可変容量型油圧ポンプの２次側と油圧モータの１次側の流路には、油圧モータをバイパスすることができる方向制御弁を設け、さらに油圧モータ及び方向制御弁の２次側と可変容量型油圧ポンプの１次側の流路には、動力を伝える媒体となるオイルが貯蔵されるオイルタンクを設けた。
【０００５】
【発明の実施の形態】以下、本発明の実施の形態を図面に基づいて説明する。図１に当該システムの概略図を示す。図１において消防自動車のエンジン１からの動力はＴ／ＭＰＴＯ２を経由し可変容量型油圧ポンプ３に伝達される。可変容量型油圧ポンプ３で発生させた油圧で、油圧モータ４を駆動し、その油圧モータ４で高圧水ポンプ５を運転する。
【０００６】次に図２において当該システムを含んだ消防自動車の内部構造の概略図を示す。この可変容量型油圧ポンプ３は、エンジンの入力回転数に関係なく、一定圧力、一定流量の制御を行うことができるため、消防ポンプ６で大量放水しながらスロットルで消防自動車のエンジン１の回転数をランダムに変化させても油圧モータ４は一定回転を保つことができ、その場の状況に応じ高圧水ポンプ５で必要な水量、圧力で放水可能となる。
【０００７】そして可変容量型油圧ポンプ３の２次側と油圧モータ４の１次側の流路に方向制御弁７を設け、さらに油圧モータ４の２次側には動力を伝える媒体となるオイルが貯蔵されるオイルタンク８を設ける。すると方向制御弁７からの流路は油圧モータ４に接続する流路と、油圧モータ４をバイパスし直接オイルタンク８に入る流路に分岐した形となる。このオイルタンク８から可変容量型油圧ポンプ３の１次側へとオイルが流れ全体で循環するようになっている。
【０００８】その結果、高圧水ポンプ５の運転が必要な時だけ方向制御弁７を切り換え油圧モータ４を駆動させ、待機時は負荷のかからないアンロード流路となる。つまり図３に示すようにオイルの流れを方向制御弁７からオイルタンク８、可変容量型油圧ポンプ３そして方向制御弁７と循環させることができオイルの温度上昇を抑えることが可能となる。
【０００９】しかも、高圧水ポンプ５を使用したいときは方向制御弁７を切り換えるだけで迅速に対応できる。
【００１０】操作手順としては制御盤９の操作部１０ａのスイッチ操作により、方向制御弁７を切り替え、高圧ポンプ５の運転及び停止を行う。また、高圧ポンプ５の水源は、消防ポンプ６用の消防自動車に掲載されている水タンク１１から行う。そして水タンク１１と高圧ポンプ５の吸水側の間に制御盤９により制御されている電動ボールコック１２が設けられており、操作部１０ｂのスイッチ操作と連動して、この電動ボールコック１２が自動的に開閉を行い高圧ポンプ５に水を供給し高圧水用ノズル１３で放水する。
【００１１】
【発明の効果】
上述したように本発明によれば、可変容量型油圧ポンプの設置により、消防自動車のエンジンの回転数に影響されないポンプ性能が得られ、消防ポンプと高圧水ポンプを同時に使用し、大容量の放水と少量高圧噴霧による放射で火災に対し有効に対応できる。
また、高圧水ポンプユニット設置の場合と異なり消防自動車自体の装置と重複が無く、軽量化及び操作性の向上を得ることができる。可変容量型油圧ポンプと油圧モータはホースで接続するため、設置場所の自由度が広い。
さらに操作部による一括操作により、火災現場での消火準備時間が短縮され迅速に消火活動に取り掛かれる。
【図面の簡単な説明】
【図１】本発明の実施の形態である可変容量型油圧ポンプを利用したシステムの概略図
【図２】本発明を含んだ消防自動車の内部構造の概略図
【図３】本発明に係るアンロード時のオイルの流れの概略図
【符号の説明】
１　消防自動車のエンジン
２　Ｔ／ＭＰＴＯ
３　可変容量型油圧ポンプ
４　油圧モータ
５　高圧水ポンプ
６　消防ポンプ
７　方向制御弁
８　オイルタンク
９　制御盤
１０ａ、１０ｂ　操作部
１１　水タンク
１２　電動ボールコック
１３　高圧水用ノズル
【図１】
2004097720.tif 000003
【図２】
2004097720.tif 000004
【図３】
2004097720.tif 000005
(57)【要約】【課題】手を使わないで歯磨き、歯茎のブラッシングを行う口に含む歯ブラシを提供する。【解決手段】ブラシ（１）を楕円形の台座（２）に植え付けて口に含んで使用することを特徴とする。【選択図】　　図１
2004097746.tif 000002
【特許請求の範囲】
【請求項１】
ブラシ（１）を楕円形の台座（２）に植え付けた歯ブラシ。
【発明の詳細な説明】
【０００１】
【発明の属する技術分野】
この発明は、口に含んで歯磨き歯茎のブラッシングをする歯ブラシに関するものである。
【０００２】
【従来の技術】
従来、柄の先端に直線上にブラシを配置した歯ブラシがあった。
【０００３】
【発明が解決しようとする課題】
これは次のような欠点があった。
（イ）歯を磨くとき、歯ブラシの柄を持たなければならず手が空かなかった。
（ロ）ブラシの配置が直線的で、楕円に並ぶ歯を縦に磨くとき効率的でなかった。
本発明は上の欠点を解決するために発明されたものである。
【０００４】
【課題を解決するための手段】
ブラシ（１）を楕円形の台座（２）に植え付けて口に含んで縦に噛むことを基本にした歯ブラシである。
【０００５】
【発明の実施の形態】
以下、本発明の実施の形態を説明する。
（イ）　ビニール製ブラシ（１）を中心に穴の空いた楕円型の樹脂製台座（２）に植え付ける。
本発明は以上のような構造で、これを使用するときは口に含み、ブラシ部を縦に噛むことを基本とし、口の中で舌と歯で操作して歯磨き歯茎のブラッシングを行う。
【０００６】
【発明の効果】
手を使わないでいつでもどこでも歯磨き、歯茎のブラッシングができる。
【図面の簡単な説明】
【図１】本発明の斜視図
【図２】本発明の分解斜視図
【図３】本発明の使用状態を示す斜視図
【符号の説明】
１　ブラシ
２　楕円形台座
【図１】
2004097746.tif 000003
【図２】
2004097746.tif 000004
【図３】
2004097746.tif 000005
(57)【要約】【課題】夏場は、冷房をかけた室内でも全体をむらなく冷やすことは難しく、人が座って座席に密着する部分はいつも汗をかいた状態になるため、座席と体の間に溜まった蒸れた空気を直接座席の裏側から換気する。【解決手段】座席に座った状態で最も汗をかきやすい部分を、座席の裏側から吸引という手段を用いて無駄なく直接的に換気する。また、乗り物用の場合には換気のために特別な動力を使わずに、乗り物が走行する時に必ず生じる空気の流れを利用した減圧吸引機を使って吸引換気する。【選択図】図１
2004097748.tif 000002
【特許請求の範囲】
【請求項１】
座席のシートや背もたれの一部を通気性にして、一般的な送風という手段では無く減圧吸引機を使って座席の裏側から空気を吸引することで、座席と体の間に溜まる蒸れた空気を効率よく換気する座席換気装置。
【請求項２】
座席の一部に通気性のクッション材を使用して、請求項１記載の通気性を実現した座席換気装置。
【請求項３】
座席に通気用のスリットや穴を開けて、請求項１記載の通気性を実現した座席換気装置。
【請求項４】
乗り物用に使用する、駆動用の動力を必要としない減圧機で、乗り物が走行する時に車体後部など空気の流れから遮蔽された部分に生じる真空（減圧）部からパイプを通して吸引する、請求項１記載の減圧吸引機。
【請求項５】
乗り物用に使用する、駆動用の動力を必要としない減圧機で、車外に取り付けて、乗り物が走行する時に生じる空気の流れを利用して減圧吸引する、ベルヌーイの法則を応用した請求項１記載の減圧吸引機。
【請求項６】
空気の流れをより有効に取り込むために漏斗状の開口部を設けて、減圧機に流速の速い空気を供給し、減圧効果を高める工夫をした請求項５記載の減圧吸引機。
【請求項７】
電気駆動式の真空吸引ポンプを使用して、椅子やソファーに利用する請求項１記載の座席換気装置。
【発明の詳細な説明】
【０００１】
【産業上の利用分野】
本発明は一般の椅子やソファーだけでなく、家庭用の乗用車や貨物自動車、乗合自動車、電車、船など乗り物の座席に利用する吸引式の換気装置。
【０００２】
【従来の技術】
冷房は主として部屋全体を冷やすが暑さ寒さの感じ方は人それぞれに異なり、また扇風機などの送風機も風があたる部分には利くが、人が座って座席に密着して汗をかく部分には余り有効ではない。
【０００３】
【発明が解決しようとする課題】
夏場は冷房をかけた室内でも全体をむらなく冷やすことは難しく、冷房の吹き出し口の場所によって冷房が利くところと利かないところが出来る。特に、座って座席に密着した部分はいつも汗をかいた状態になり、冷房を利かせてもその部分の不快感はなかなか無くならない。また、車の場合には換気用に動力を必要とするファンなどをつけると、バッテリーにかなりの負荷をかけることになる。
【０００４】
【課題を解決するための手段】
座席に座った状態で熱がこもり汗をかき易い部分を、減圧吸引という手段で直接的に換気する。また、車などの乗り物には換気のために特別な動力を使うこと無く、乗り物が走行すれば必ず生じる空気の流れを利用した減圧吸引機を使用する。
【０００５】
【発明の実施の形態】
本発明は、送風を原理としたこれまでの冷房・送風装置ではカバーしきれない汗をかき易い座席に接した部分を、座席の側から吸引するという手段によって換気するものである。
【０００６】
座席のシートや背もたれの汗をかき易い部分にスリットや穴を開けたり、通気性のクッション材などで通気しやすいように加工し、座席の背後から熱く蒸れた空気を強制的に吸引換気する。
【０００７】
空気の吸引には、通常の椅子やソファーの場合には真空吸引ポンプを使用し、乗り物の座席の場合には走行する時の空気の流れにより生じる減圧状態を利用した減圧吸引機を使用する。
【０００８】
【実施例】
図１に、乗り物の座席（６，７）に通気性のクッション材（１）を使用した場合の横方向断面図と、吸引口（２）及びチューブ（３）、換気用のパイプ（４）並びに減圧吸引機（５）のイメージ図を示す。減圧吸引機（５）からパイプ（４）を通して座席（６，７）の裏側に柔らかい吸引用チューブ（３）と吸引口（２）を設置する。座席と体の間に溜まる蒸れた空気は、座席（６，７）に設けた通気性のクッション材（１）を通して吸引口（２）から吸引され、チューブ（３）とパイプ（４）を経由した後に減圧吸引機（５）に吸引されて車外に放出される。パイプ（４）にバタフライ弁など（８）を取り付け座席シートから開閉出来るようにすれば、換気量を調節することも出来る。
図２に、請求項６記載の車外に設ける乗り物用減圧吸引機の一例を断面図で示す。大きく開いた開口部（９）から空気を取り込み漏斗状に口径を絞り込んだ部分に流れを誘導し、流速が最も上がる導管部分（１０）に換気用のチューブ（３）から繋がったパイプ（４）を横から繋ぎ込めば、座席側から減圧吸引機に空気が吸引される。動力を必要としないことでバッテリーにも余分な負荷がかからない。
図３に、吸引装置として真空ポンプ（１１）を椅子に取り付けた場合の、座席換気装置の横方向断面図を示す。
【０００９】
【発明の効果】
座った人が最も汗をかきやすい部分を直接的に換気することで個人個人にあった換気量の調節が出来ることと、乗り物用には走行時に生じる空気の流れを利用した減圧機を使用することで、少ないエネルギーで無駄なく直接的な冷却効果を上げることができ、副次的には車内換気にも役立つ。
【図面の簡単な説明】
【図１】乗り物用の座席換気装置の断面図及びシステムのイメージ図
【図２】乗り物用減圧吸引機の断面図
【図３】椅子に真空ポンプを取り付けた時の断面図
【符号の説明】
（１）通気性のクッション材
（２）吸引口
（３）吸引用チューブ
（４）換気用のパイプ
（５）乗り物用の減圧吸引機
（６）座席
（７）座席の背もたれ
（８）調節用の弁
（９）乗り物用の減圧吸引機の開口部
（１０）乗り物用の減圧吸引機の導管部分
（１１）吸引用の真空ポンプ
【図１】
2004097748.tif 000003
【図２】
2004097748.tif 000004
【図３】
2004097748.tif 000005
(57)【要約】　　　（修正有）【課題】一人でも多くの人にやさしいねむりの中で健康な生活をしてもらいたい。【解決手段】自在マクラは、正方形でもいいが、丸くても、どんな形でもよい。もみくちゃにしてマクラの高さや大きさを自由に変形することによって、自分に一番あった状態のマクラをつくり出すことができる。また、穴をあけることによって風通しをよくしたり、遠赤外線、トルマイン等の作用によって、健康も得ることができる。【選択図】図２
2004097742.tif 000002
【特許請求の範囲】
【請求項１】
折りまげたり、まるめたり、もみくちゃにしても使用できるマクラである。
【請求項２】
（１）のマクラの中身については遠赤外線又はトルマリン等健康にいいものを使用する。
【発明の詳細な説明】
【０００１】
【産業上の利用分野】
この発明は、眠りの浅い人に熟睡を促すことのできるマクラである。
【０００２】
【従来の技術】
従来のマクラは、高さも大きさも一定であって高さや大きさをかえて使用することはできなかった。
【０００３】
【発明が解決しようとする課題】
イ．高さが自由にならなかった。
ロ．大きさがかえられなかった。
【０００４】
【課題を解決するための手段】
本考案のマクラ（１）を第２図のようにもみくちゃにしてマクラの高さや大きさをかえることによって、自分に一番あった状態のマクラをつくり出すことができる。又、（２）のようにマクラ（１）に穴をあけることによって風とおしをよくするものである。
【０００５】
【作用】
自分に一番あった状態のマクラを自由につくりだすことによって、ここちよい睡眠を得ることができる。又、遠赤外線、トルマリン等の作用によって健康も得ることができる。
【０００６】
【実施例】
第２図のようにまるめることによって自由にマクラ（１）の大きさや高さをかえて頭の下に入れることができるので、非常にここちよいねむりを得ることが出来た。
【０００７】
【発明の効果】
世の中で、ねむりが浅くて睡眠不足に悩む人を減らすことができるものと考える。
【図面の簡単な説明】
【図１】
【図２】形は違うが、すべて本発明である。
【符号の説明】
（１）遠赤外線、トルマリン等が含まれているマクラである。
（２）穴
【図１】
2004097742.tif 000003
【図２】
2004097742.tif 000004
(57)【要約】【課題】生理用ナプキン、紙おむつに模様を入れる際に、模様の位置を任意の位置に設定でき、尚かつ同位置に模様が入れられる装置を提供する。【解決手段】装置内に昇降ロール、ヒーターロール、模様検出器、固定ロール、スライドロール、刃物を取り付けたことを特徴とする。【選択図】　　　図１
2004097744.tif 000002
【特許請求の範囲】
【請求項１】
バックシートフィルムの模様を一定位置に保持することを特徴とする生理用ナプキン、紙おむつ製造装置。
【請求項２】
バックシートフィルムの自動切替を特徴とする生理用ナプキン、紙おむつ製造装置。
【発明の詳細な説明】
【０００１】
【発明の属する技術分野】
この発明は、生理用ナプキン、紙おむつ製造装置に関するものである。
【０００２】
【従来の技術】
従来、生理用ナプキン、紙おむつに模様をつけようとすると、バックシートフィルム以外に模様紙が必要となる上、その模様は無秩序に印刷してあった。
【０００３】
【発明が解決しようとする課題】
これには次のような欠点があった。
イ．模様を入れるためには、模様紙が必要になる。
ロ．製造単価が高くなる。
ハ．製造装置が複雑になる。
ニ．模様は生理用ナプキン、紙おむつ全体に無秩序にあった。
本発明は、これらの欠点を解決するために発明されたものである。
【０００４】
【課題を解決するための手段】
本発明は、生理用ナプキン、紙おむつ製造の際、バックシートフィルムの模様を所定の位置に保持し、位置ずれが生じたときは即座に位置ずれの修正を行い、バックシートフィルムの切替を自動化することを特徴とする生理用ナプキン、紙おむつ製造装置である。
【０００５】
【発明の実施の形態】
以下、本発明の形態について説明する。
生理用ナプキン、紙おむつ製造工程の途中に模様検出器Ａ（２）を設け、模様印刷済バックシートフィルム（１）上の模様の位置を常時検出し、位置ずれが発生した場合は瞬時に連結アーム（１１）により一体となった昇降ロールＡ（４）、昇降ロールＢ（７）が上昇し、模様印刷済バックシートフィルム（１）がヒーターロール（８）により加熱され引き伸ばされる。模様検出器Ｂ（１０）の照合により所定の位置になるまで模様の位置修正を続ける。
【０００６】
模様印刷済バックシートフィルムＡ（２１）を設け、模様検出器Ｃ（２３）により模様の位置を常時検出する。模様検出器Ｃ（２３）の後に刃物Ａ（２５）、カウンターロールＡ（２７）を設け、下部に固定ロール（２９）を設ける。模様印刷済バックシートフィルムＡ（２１）の対面に模様印刷済バックシートフィルムＢ（２２）を設ける。次に模様検出器Ｄ（２４）、刃物Ｂ（２６）、カウンターロールＢ（２８）を設ける。カウンターロールＢ（２８）の下部にスライドロール（３０）を設ける。
【０００７】
模様印刷済バックシートフィルムを切替える時は、模様検出器Ｃ（２３）及び模様検出器Ｄ（２４）により、模様印刷済バックシートフィルムＡ（２１）と模様印刷済バックシートフィルムＢ（２２）の模様の位置を合わせ、固定ロール（２９）とスライドロール（３０）で模様印刷済バックシートフィルムを挟み込み貼付ける。所定の位置であることが確認された後、刃物Ａにより模様印刷済バックシートフィルムＡ（２１）を切断して切替完了となる。
模様印刷済フィルムＢ（２）から模様印刷済フィルムＡ（１）に切替える場合も同様に行う。
【０００８】
図３に示すように、ヒーターロールの代わりに熱風を使うことも可能である。
本発明は、以上のような構成よりなる生理用ナプキン、紙おむつ製造装置である。
【０００９】
【発明の効果】
本発明は、生理用ナプキン、紙おむつに模様を入れようとすると必要になる模様紙が不要になり、製造単価もその分安くなる。また、模様の位置も自由に設定できるため、商品の価値をより高くするものである。
【図面の簡単な説明】
【図１】本発明の概略断面図である。
【図２】本発明の位置ずれ修正時の概略断面図である。
【図３】本発明の変化例の概略断面図である。
【図４】本発明の斜視図である。
【図５】本発明の位置ずれ修正前の斜示図である。
【図６】本発明の位置ずれ修正後の斜示図である。
【図７】本発明の実施後の斜示図である。
【符号の簡単な説明】
１　模様印刷済バックシートフィルム
２　模様検出器Ａ
３　ロールＡ
４　昇降ロールＡ
５　ロールＢ
６　ロールＣ
７　昇降ロールＢ
８　ヒーターロール
９　ロールＤ
１０　模様検出器Ｂ
１１　連結アーム
１２　熱風
２１　模様印刷済バックシートフィルムＡ
２２　模様印刷済バックシートフィルムＢ
２３　模様検出器Ｃ
２４　模様検出器Ｄ
２５　刃物Ａ
２６　刃物Ｂ
２７　カウンターロールＡ
２８　カウンターロールＢ
２９　固定ロール
３０　スライドロール
【図１】
2004097744.tif 000003
【図２】
2004097744.tif 000004
【図３】
2004097744.tif 000005
【図４】
2004097744.tif 000006
【図５】
2004097744.tif 000007
【図６】
2004097744.tif 000008
【図７】
2004097744.tif 000009
(57)【要約】【目的】超音波振動を発生する簡易な防水性の箱体の表面に親水性の被覆材を設け、これに洗剤や水を含ませて身体の洗浄や洗髪に用いる。含まれた水分はよくこの振動を伝えるので強い洗浄効果とマッサージ効果が得られる。【構成】本発明は外箱（１）が内部の超音波発生機構により全体として超音波振動するように構成され、かつその表面にこれを覆うスポンジや植毛等の部材を設ける。【選択図】　図１
2004097750.tif 000002
【特許請求の範囲】
【請求項１】
超音波発信出力をもとに超音波振動子と一体的に超音波を発生させる防水性外箱と、その外周に設けられる親水性の部材より成る超音波発生器。
【発明の詳細な説明】
【０００１】
【産業上の利用分野】
本発明は、超音波の持つ洗浄効果およびマッサージ効果を入浴あるいは洗髪時に手軽に使用せしめ民生分野に新しい用途を期待しようとする。
【０００２】
【従来の技術】
従来、身体や髪を洗う際、特に超音波を使う方法は無く、石鹸やシャンプー等洗剤に手もしくはブラシを用いて洗浄していた。
【０００３】
【発明が解決しようとする課題】
従来、非人体当の物体の洗浄のために超音波はよく用いられている。また風呂の湯船などに超音波発生器を設けてマッサージ効果を得ることも同様であるが両者を併せて行うための方法や器具は無かった。本発明は人が身体や髪を洗いさらにマッサージ効果を期待する時上述の超音波の持つ特性を十分に活用しかつ安全手軽にしようとするものである
【０００４】
【課題を解決するための手段】
本発明は、超音波を発生装置本体の外箱で発生させこれを内包する親水性の部材を通して直接接触する人体に洗浄効果やマッサージ効果を発生させようとするものである。ここに親水性の部材には適宜洗剤や水が含まれているようにして用いると外箱の超音波振動は効率的に人体に伝達され所期の効果が得られる。
【０００５】
【発明実施の形態】
この目的のため先述のように外箱が超音波振動するように、その内部には電池等電源、超音波発信部および外箱に密着する超音波振動子が設けられ必要に応じ適宜超音波を発生しホーンに伝える。ここに外箱は該ホーン部と一体的に構成され全体として超音波発生力を高めるホーンと一体での役割を兼ねる。この外箱を内包するように前記の親水性部材で覆う。ここに外箱の形状は矩形箱状、円筒状その他の形状で人体に適宜接触しやすいものとする。また、親水性部材は直接外箱表面に植毛したり、スポンジ、ブラシあるいは不織布や布等を嵌着、接着あるいは着脱可能として設ける。いずれも外箱形状に適応しかつ人体になじみやすく洗剤や水を充分保持できるもので構成する。
【０００６】
【実施例】
以下、本発明を図１に示す実施例について説明する。図において（１）は外箱、（２）は電池、（３）は超音波出力発信部、（４）は超音波振動子、（５）はホーン部、および（６）は親水性部材を示す。
【０００７】
１例として、図１に本発明の側断面概念図を示す。電源が起動されると電池（２）の電気出力は超音波出力発信部（３）で超音波発信出力に変換され、さらに超音波振動子（４）で所定の超音波出力に変換される。この超音波出力はさらにホーン部（５）で強調され超音波振動出力として一体的に形成される外箱（１）に伝えられる。ここに外箱（５）は場合によりホーン部を兼ねることもあり全体として働く。この表面は先述のような親水性部材（６）で覆われここに洗剤や水を含ませるときわめて効率良く人体（図示せず）にこの超音波振動を伝達する。
【０００８】
また、本例以外に超音波伝達部は外箱（１）や親水性部材（６）の片面あるいは一部のみとしホーン部（５）は外箱（１）の一部もしくは別途形成とする場合も目的や成形上の都合により可能である。なお、外箱（１）は全体として防水構造とし電池（２）は再充電可能なものとし外部から誘導方式で充電してもよい。
【０００９】
【発明の効果】
以上説明したように、本発明によれば比較的簡易な装置で超音波発生器が得られ、身体や頭髪の洗浄やマッサージが充分にかつ手軽に可能となる。一般的な使用方法としてはこれの表面に洗剤および（もしくは）水を含ませて手で持ち必要な身体部位をこする、もしくはあてればよい。超音波は水中をよく通るので、特に湯船の中で用いるとその効果が向上する。また洗剤によっては泡立て効果も期待できる。
【図面の簡単な説明】
【図１】本発明に関わる側断面概念図を示す。
【符号の説明】
（１）　外箱
（２）　電池
（３）　超音波出力発信部
（４）　超音波振動子
（５）　ホーン部
（６）　親水性部材
【図１】
2004097750.tif 000003
(57)【要約】【課題】穴をあけた下敷き上を歩くことで足裏を刺激して健康増進に役立つ用具を提供する。【解決手段】下敷き（１）に穴（２）をあけることを特徴とする。【選択図】　図１
2004097736.tif 000002
【特許請求の範囲】
【請求項１】
硬く厚手の下敷きに適度な直径の穴をあけることを特徴とする足裏刺激用具。
【発明の詳細な説明】
【０００１】
【発明の属する技術分野】
この発明は、足裏を刺激して体の血行を良くし、健康増進を図るための足裏刺激用具の技術に関するものである。
【０００２】
【従来の技術】
従来、青竹を半割状にした足踏み器具や合成樹脂製のカマボコ型の器具に大小の突起物を埋め込んだものとかがあり、また小さな突起物のついたサンダルなどがあった。
【０００３】
【発明が解決しようとする課題】
これは次のような欠点があった。
（イ）竹半割状のものや合成樹脂製の足踏み器は固定した場所で足踏みの繰り返しで疲れてくる。
（ロ）サンダルは家の中では使えない。
（ハ）一人が使っている間他の人は使えない。
本発明は、以上のような欠点をなくすためになされたものである。
【０００４】
【課題を解決するための手段】
下敷き（１）全体に穴（２）をあける。
本発明は、以上の構成よりなる足裏刺激用具である。
【０００５】
【発明の実施の形態】
以下、本発明の実施の形態について説明する。
穴（１）のあいた下敷き（２）を床に敷き、その上を人（３）が歩く。
本発明は、以上のような構造でこれを使用するときは床に敷き歩けばよい。その他の応用例として（イ）長時間椅子に座っていると臀部が痛くなるがこれを敷くことでうっ血を防ぎ痛くならない。（ロ）シーツの下に敷いておくと寝ている間にマッサージの効果で目覚めが爽やかになる。
【０００６】
【発明の効果】
本発明は従来の足裏刺激の方法が突起物中心に作られていたものを換えて、下敷きに穴をあけることにより足裏の一部が凹状の中に入りそうでない部分との段差で足裏全体をマッサージする効果をねらうものである。
【０００７】
はだしで地面を歩くのが健康に良いといわれて一部の幼稚園や小学校で実践して効果をあげているが、現実はそうそうできるものではない。本発明は、この上を歩くことで刺激が得られ子供から老人まで誰もが利用できる。屋内で使うから天気や季節も関係ない。
【０００８】
本発明は幼稚園や保育園などの一部屋に敷きつめて遊ばせれば土踏まずの形成に役立つ。老人ホームでは廊下で縦に繋いでいけば外では歩きにくい高齢者の運動と健康保持に役立つ。同時に複数の人が使える。
【０００９】
使用しないときは巻き取りができて、汚れたら洗濯が可能である。
【図面の簡単な説明】
【図１】本発明の底面図である。
【図２】本発明の側面図である。
【符号の説明】
１　穴
２　下敷き
３　人
【図１】
2004097736.tif 000003
【図２】
2004097736.tif 000004
(57)【要約】【課題】包茎を矯正するに当たり亀頭等のサイズ又は男性器の伸縮度合いにより外れたり膨張時痛みを伴ったりせず、尿道を圧迫し排尿等を妨げず、かつ簡易にしかも常時使用可能とし、性具としても利用できることを課題とした。【解決手段】本体は一回転半の螺旋状リングの構造で、そのうち約一回転部分は陰茎リング、残りは特殊な形状の亀頭リングをなし、平常時は弛んだ包皮が陰茎リング全体を包み込み本体は固定されるためずれ落ちず、また、Ｏリングのように直径が固定せず、あわせて伸縮可能な材質により勃起時は男根を締め付けにくい。更に尿道を圧迫しない形状で排尿等支障が無く、包皮の長い人は脱着可能な皮被止装置をつける事でその効果を更に高める。更にリング内に強力磁石を内包する事で男性器の血行を促し平常時でも男根が萎えにくい効果が望める、また本発明は性交時にそのまま使用でき場合によっては脱着式になった突起物等性具を装着できる。【選択図】　　図１
2004097731.tif 000002
【特許請求の範囲】
【請求項１】
バネ状に一回転半螺旋した変形二重リングのうち一本のリングが男性器亀頭冠状溝に沿って密着するリングの一部をなし、片方のリングは陰茎に巻きつくリングからなり合成ゴム又は、合成樹脂もしくは金属等で形成され、付属品として包皮による亀頭への皮被り止め装置または性具突起物等を着脱できる穴を有する形状及び構造を特徴とする包茎矯正二重リング
【発明の詳細な説明】
【０００１】
【発明の属する技術分野】
本発明は、包茎のため衛生上または性生活上の弊害を防止及び改善する男根に脱着可能な亀頭部露出装置で包茎矯正具及び性具に関するものである。
【０００２】
【従来の技術】
従来、包茎矯正器具には大別して亀頭の付け根に装着する一重リング方式と性器の根元に装着しゴム等で体の一部に固定して亀頭部を露出する方法等がある。
【０００３】
【発明が解決しようとする課題】
【０００４】
これらは次のような欠点があった、一重リング方式は亀頭のサイズ又は膨張度合いに個人差があるため外れたり膨張時痛みを伴ったり尿道を圧迫し排尿困難になった。又、体の一部に固定する方法は取り外しが面倒であった。本発明はこれらの欠点を改良し常時使用可能で、性具としても利用できることを課題とした。
【０００５】
【課題を解決する為の手段】
特殊な形状をした一重半の螺旋状リングにより、Ｏリングのように輪の大きさが固定せず、螺旋状の形態をなすこと及び伸縮可能な材質で製造する事で輪の大きさが変化する構造の為、勃起時は男根を締め付けず、平常時は外れにくい、また勃起時の尿道も確保できる尿道スペースを施した形状である。更に、包皮等の弛み具合は個人差によりより異なる為、包皮の長い人は脱着可能な皮被り防止装置をつける事でその効果を更に高める。更にリング内に強力磁石を内包する事で男性器の血行を促し平常時でも男根が萎えにくい効果が望める、また本発明は性交時にそのまま使用でき場合によっては脱着式になった柔軟な突起物等性具を装着する事で膣内に更に刺激を与える事ができる。
【０００６】
【発明の実施の形態】
発明の実施の形態を図面に基づいて説明する。図１は勃起した男性器に本発明装置を装着した一例を側面から見た透視図である。亀頭冠状溝リング３が亀頭１の亀頭冠状溝に沿って密着して巻きつくと共に陰茎リング４が陰茎に巻き付いていて一回半のらせん状の様子を示している。勃起時であっても尿道スペース５があるため排尿時等支障は生じない。
【０００７】
図２は平常時の萎縮した男性器に本発明装置を装着した時の一例を側面から見た様子を示す。亀頭冠状溝リングが包皮の亀頭部皮被りを止め、たるんだ包皮６が陰茎リング４を包み込むため本発明装置は包皮により押さえつけられ固定された格好になりその結果容易に外れない。
【０００８】
図３は本装置自体の正面図である。亀頭冠状溝リング３は付属品取り付け穴を有し包皮が亀頭を覆わないようにストッパーの役割を果たす為高さと厚みがある構造になり、陰茎リング４は包皮がかぶさり密着するよう平板状になっている。また、血行を促す効果がある永久磁石等をリング内側に埋め込むのが望ましい。
【０００９】
萎縮時において亀頭１が極端に小さくなる場合は付属品取り付け穴７に亀頭冠状溝リング３より一回り大き目の包皮たるみ止めを装着する事で包皮が亀頭を覆わず亀頭を露出したままに維持できる。また突起物状性具８を取り付ける事で性交時性具として使用すれば膣内に刺激を与えることができるがその場合、材質及び構造については膣内粘膜等傷つけないよう十分な配慮を要する。図は突起物状性具８を一個取り付けた一例を示している。
【００１０】
図４は本体を側面から見た図である。亀頭冠状溝リング３と陰茎リング４の高さが異なる様子や亀頭冠状溝リング部の特殊なラインを示している。
【００１１】
【発明の効果】
本発明は一回転半の螺旋状にする事で役割の異なる２個のリングと同じ効果とリング径が可変する効果が同時に得られる。亀頭リングが包皮のストッパーの役割をなし包茎リングを包皮が包み込む事で本体を固定する事が出来、亀頭部を常時露出しておくことが可能となる。また、本リングはカリ高の状態にあるため性具としても使用でき場合によっては突起物等の装着も可能となる。
【図面の簡単な説明】
【図１】男根勃起時に本体を装着した側面透視図である。
【図２】男根平常時に本体を装着した側面透視図である。
【図３】本体に突起物性具を取り付けた正面図である。
【図４】本体の側面図である。
【符号の説明】
１亀頭
２陰茎
３亀頭冠状溝リング
４陰茎リング
５尿道スペース
６包皮
７外部付属品取り付け穴
８突起物状性具
【図１】
2004097731.tif 000003
【図２】
2004097731.tif 000004
【図３】
2004097731.tif 000005
【図４】
2004097731.tif 000006
(57)【要約】【課題】ゲル部分と液体部分の食感を区別し、かつ飲料にも適するように、ゲル部分が球体やカプセル状に、もしくはそれらに類似した形態に加工され、かつゲル部分が浮遊する健康飲食品を提供することを課題とする。【解決手段】本発明は、ゲル（蒟蒻やゼラチン、寒天等）含有健康飲食品において、ゲル内部が空洞になる型枠等により、液体中におけるゲル部分を浮遊可能にし、かつ飲料にも適するように、ゲル部分が球体やカプセル状に、もしくはそれらに類似した形態に加工され、そのまま飲み込むのに無理のないサイズ（一般的に薬品の錠剤として使用されているような大きさ）にしたゲル（蒟蒻やゼラチン、寒天等）含有健康飲食品を製造することにある。【特許請求の範囲】
【請求項１】
内部がくり抜かれたゲル（蒟蒻やゼラチン、寒天等）が液中に浮遊することを特徴とする健康飲食品
【発明の詳細な説明】
【０００１】
【発明が属する技術分野】
本発明は、型により内部をくり抜くことで液中に浮遊することを可能にしたゲル（蒟蒻やゼラチン、寒天等）を少なくとも一種以上含有した健康飲食品に関するものである。
【０００２】
【従来の技術】従来のゲル含有健康飲食品、例えば、蒟蒻含有の健康飲料水は、全体の液体がゲル状の為、蒟蒻の食感と液体の食感を区別して味わうことができなかった。
【０００３】
また、ゲル部分が液中に沈んだ寒天等のゲル含有健康食品は、健康飲料水に転化させる場合には、ゲル部分が液中に沈む為、飲みにくいものとなっている。
【０００４】
【発明が解決しようとする課題】
ゲル部分と液体部分の食感を区別し、かつ飲料にも適するように、ゲル部分が球体やカプセル状に、もしくはそれらに類似した形態に加工され、かつゲル部分が浮遊する健康飲食品を提供することを課題とする。
【０００５】
【課題を解決するための手段】
本発明は、ゲル（蒟蒻やゼラチン、寒天等）含有健康飲食品において、ゲル内部が空洞になる型枠等により、液体中におけるゲル部分を浮遊可能にし、かつ飲料にも適するように、ゲル部分が球体やカプセル状に、もしくはそれらに類似した形態に加工され、そのまま飲み込むのに無理のないサイズ（一般的に薬品の錠剤として使用されているような大きさ）にしたゲル（蒟蒻やゼラチン、寒天等）含有健康飲食品を製造することにある。
【０００６】
【発明の実施の形態】
飲み込むのに無理のないサイズでかつ、液体中に浮遊するゲル（蒟蒻やゼラチン、寒天等）を少なくとも一種以上含有したる健康飲食品を製造する。
【０００７】
【実施例】
以下、実施例を挙げて本発明を更に詳述するも、本発明はこれらに限定されるものではない。
【０００８】
実施例１．蒟蒻やゼラチン、寒天等のゲルが少なくとも一種以上含有され、かつそれらのゲル（蒟蒻やゼラチン、寒天等）が液中に無理なく飲み込めるサイズで浮遊する健康飲料水。
【０００９】
実施例２．蒟蒻やゼラチン、寒天等のゲルが少なくとも一種以上含有され、かつそれらのゲル（蒟蒻やゼラチン、寒天等）が液中に浮遊する健康食品。
【発明の効果】
本発明は、内部に空洞を有することで、液中での浮遊が可能となったゲル（蒟蒻やゼラチン、寒天等）を健康飲食品に含有することで、固形面と液体面の食感を区別し、また、ゲルが浮くことにより美的にも食欲を高める効果、（このことは、例えばペットボトル等の透明容器を製品パッケージに使用した際、顕著になるが）をもたらすものである。
(57)【要約】【目的】加工性、水溶性に優れるとともに、うまみのある白米粉を提供する。【構成】原料として精白米を使用し、浸漬工程、蒸米工程、乾燥工程、常温冷却工程、膨化工程、粉砕工程の各工程を有する。米の水分は、浸漬工程で２５〜３５％、乾燥工程で１２〜１５％、膨化工程で２〜５％とするのが好ましい。常温冷却工程においては、冷却機を使用して１０℃〜３０℃で１〜５分間冷却するのが好ましい。膨化工程においては、膨化機を使用して２５０〜３５０℃で１０〜３０秒膨化させるのが好ましい。【選択図】　図１
2004097081.tif 000002
【特許請求の範囲】
【請求項１】
原料として精白米を使用し、浸漬工程、蒸米工程、乾燥工程、常温冷却工程、膨化工程、粉砕工程の各工程を有することを特徴とする白米粉の製法。
【請求項２】
米の水分を、浸漬工程で２５〜３５％、乾燥工程で１２〜１５％、膨化工程で２〜５％とする請求項１記載の方法。
【請求項３】
常温冷却工程において、冷却機を使用して１０℃〜３０℃で１〜５分間冷却する請求項１又は２に記載の方法。
【請求項４】
膨化工程において、膨化機を使用して２５０〜３５０℃で１０〜３０秒膨化させる請求項１ないし３のいずれかに記載の方法。
【発明の詳細な説明】
【０００１】
【発明の属する技術分野】
本発明は白米粉の製造方法に関する。
【０００２】
【従来の技術と発明が解決しようとする課題】
従来の白米粉の製造法は、水洗した精白米を製粉して乾燥させるだけであるのが普通である。しかし、水洗した精白米を製粉して乾燥させるだけでは、米の臭みがあり、水に溶解させたとき固まりを作りやすい。
【０００３】
精白米を蒸米してα米とした後で製粉することも公知であるが、粉砕工程において不良品が多発し、加工性が悪いことが知られている。
【０００４】
本発明は、加工性、水溶性に優れるとともに、うまみのある白米粉を提供することを目的とする。
【０００５】
【課題を解決するための手段】
本発明の白米粉の製法は、原料として精白米を使用し、浸漬工程、蒸米工程、乾燥工程、常温冷却工程、膨化工程、粉砕工程の各工程を有することを特徴とする。
【０００６】
【発明の実施の態様】
添付の図１に示す浸漬工程では、浸漬タンクの水（常温）に５〜７時間浸漬する。米の水分は２５〜３５％程度である。
【０００７】
図１に示す蒸米工程では、蒸米機を使用して約９８℃で２５〜３５分蒸らす。
【０００８】
図１に示す乾燥工程では、予備乾燥と本格乾燥に分けるのが好ましい。予備乾燥では、約１０分間塊をほぐす。本格乾燥では、回転乾燥機を使用して１５０℃〜１６０℃で１５〜２５分間乾燥させる。米の水分は１２〜１５％程度である。
【０００９】
図１に示す常温冷却工程では、冷却機を使用して１０℃〜３０℃で１〜５分間冷却する。
【００１０】
図１に示す膨化工程では、膨化機を使用して３００℃で１０〜３０秒膨化させる。米の水分は２〜５％程度である。
【００１１】
図１に示す粉砕工程では、粉砕機を使用して、２００ミクロン以下の微粉末とする。
【００１２】
【実施例】
精白米を浸漬タンクの水（１６℃）に６時間浸漬した。米の水分は２８〜３０％である。その後、蒸米機を使用して９８℃で３０分蒸らした。約１０分間予備乾燥をして塊をほぐした後、回転乾燥機を使用して１５０℃〜１６０℃で２０分間本格乾燥した。米の水分は１２〜１５％となった。続いて、冷却機を使用して１０℃〜３０℃で１〜５分間冷却した。その後、膨化機を使用して３００℃で１０〜３０秒膨化させた。米の水分は２〜５％となった。最後に粉砕機を使用して、２００ミクロン以下の微粉末とした。
【００１３】
【発明の効果】
以下に示す膨化米と生米とα化米の３種類の米を粉砕し、加工性、水溶性を試験した。
膨化米．．．４４０ｇ／ｌ（上記実施例において粉砕前の状態であり、粉砕により本発明製品となる）
生米．．．．８２６ｇ／ｌ（精白米）
α化米．．８５０ｇ／ｌ（上記実施例において冷却の前で中止したもの）
【００１４】
（１）粉砕による不良品の発生
上記３種類の米を３０分間ボールミルで粉砕した後、８０メッシュにてふるいをかけ、微粉末とした。結果は次のとおりである。
膨化米粉　（平均粒度　１５．２μｍ）
良品　　　　　４３９ｇ
不良品　　　ほぼ０ｇ
生米粉　　　（平均粒度　９．９μｍ）
良品　　　　　７７９ｇ
不良品　　　６３ｇ（網上）
α米粉　　　（平均粒度　２４．２μｍ）
良品　　　　　１２６ｇ
不良品　　　６９３ｇ（網上）
【００１５】
以上の結果によると、膨化米粉は他の２種類の米粉に比べて不良品の発生率が低い。
【００１６】
（２）水溶性
上記３種類の米粉各２ｇを５０ｍｌの湯（９０℃）に入れ、２分間攪拌した。結果は次のとおりである。
膨化米粉　粒度が細かく溶けやすい。
生米粉　　　だまになる。固まり、溶けない。
α米粉　　　粒度が荒く、底だまりが多い。
【００１７】
吸水率（包装用シリカゲル乾燥剤を使用した相対湿度９０％における吸湿率。ＪＩＳ　Ｚ　０７０１：１９７７に準じて試験した。ただし、検体をそのまま試験の対象とした。）
膨化米粉　１８．０％
生米粉　　　　　６．７％
α米粉　　　　　９．２％
【００１８】
以上の結果によると、膨化米粉は他の２種類の米粉に比べて水溶性が良好である。
【図面の簡単な説明】
【図１】本発明の方法を示す工程図である。
【図１】
2004097081.tif 000003
(57)【要約】【目的】建築物内に進入した虫類を、虫類自体の行動特性を利用して容易に建築物外に放逐する虫類放置装置を提供する。【解決手段】建築物内と建築物外とを連通せしめ且つ少なくとも部分的に建築物内から建築物外に向かって断面積が漸次低減せしめられている誘導路（６）を規定する誘導路部材（４）と、誘導路（６）の外側端に対向せしめて建築物外に配設された光源（１４）とを具備する。【選択図】　　　　図１
2004097018.tif 000002
【特許請求の範囲】
【請求項１】
建築物内と建築物外とを連通せしめ且つ少なくとも部分的に建築物内から建築物外に向かって断面積が漸次低減せしめられている誘導路を規定する誘導路部材と、該誘導路の外側端に対向せしめて建築物外に配設された光源とを具備する、ことを特徴とする虫類放逐装置。
【請求項２】
該誘導路は円錐台形状である、請求項１記載の虫類放逐装置。
【請求項３】
該誘導路部材は建築物の壁を貫通して建築物外に延出せしめられており、該誘導路部材の建築物外に延出する部分と該光源とを覆うカバー部材が配設されている、請求項１又は２記載の虫類放逐装置。
【発明の詳細な説明】
【０００１】
【発明の属する技術分野】
本発明は、建築物内に進入した虫類を建築物外に放逐する（即ち追い出す）ための虫類放逐装置に関する。
【０００２】
【従来の技術】
山間部に建造された別荘、邸宅等の建築物においては、建築物内の光に起因して、扉或いは窓が明けられた際に、種々の虫類が進入することが少なくない。建築物内に進入した虫を建築物外に放逐することが容易でないことは多くの人が経験的に認識しているところである。建築物内に進入する虫類には蜂の如き人体に危害を加える虞のあるものも少なくない。人体には無害な虫類であっても、部屋内を飛び交うと目障りであり、また死骸となって部屋を汚してしまう。然るに、本発明者の知る限りにおいて、建築物内に進入した虫類を建築物外に放逐する効果的な装置は未だ開発されていない。
【０００３】
【発明が解決しようとする課題】
本発明は上記事実に鑑みてなされたものであり、その主たる技術的課題は、建築物内に進入した虫類を、虫類自体の行動特性を利用して容易に建築物外に放逐することができる、新規且つ改良された虫類放逐装置を提供することである。
【０００４】
【課題を解決するための手段】
本発明によれば、上記主たる技術的課題を達成する虫類放逐装置として、建築物内と建築物外とを連通せしめ且つ少なくとも部分的に建築物内から建築物外に向かって断面積が漸次低減せしめられている誘導路を規定する誘導路部材と、該誘導路の外側端に対向せしめて建築物外に配設された光源とを具備する、ことを特徴とする虫類放逐装置が提供される。
【０００５】
該誘導路は円錐台形状であるのが好適である。好適実施形態においては、該誘導路部材は建築物の壁を貫通して建築物外に延出せしめられており、該誘導路部材の建築物外に延出する部分と該光源とを覆うカバー部材が配設されている。
【０００６】
【発明の実施の形態】
以下、本発明に従って構成された虫類放逐装置の好適実施形態を図示している添付図面を参照して更に詳細に説明する。
【０００７】
図１及び図２を参照して説明すると、図示の虫類放逐装置は、建築物の壁２を貫通して延在せしめられている誘導路部材４を含んでる。この誘導部材４は、建築物内（図２において左側）と建築物外（図２において右側）とを連通せしめている誘導路６を規定している。誘導路６は、少なくとも部分的に建築物内から建築物外に向かって断面積が漸次低減せしめられていることが重要である。図示の誘導路６は円錐台形状であり、従ってその内側端から外側端までの全体に渡って、断面積が漸次低減せしめられている、換言すれば円形である横断面形状の直径が漸次低減せしめられている。所望ならば、誘導路６を、内側端から外側端までの全体ではなくて、その一部においてのみ建築物内から建築物外に向かって断面積が漸次低減せしめられており、かかる一部以外においては実質上同一の断面積を有する形態にせしめることもできる。また、円錐台形状に代えて多角錐台形状等の誘導路４を使用することもできる。更に、誘導路６を、図２において紙面に垂直な方向には比較的細長く延在する（従って内側端の開口及び外側端の開口は共に図２において紙面に垂直な方向に細長く延在する長方形状である）形態にせしめることもできる。誘導路６を規定する誘導路部材４は、透明乃至半透明であるのが好ましい適宜の合成樹脂、或いは金属薄板から形成することができる。
【０００８】
図示の実施形態においては、建築物の壁２の外面には、壁２に面する側面（図２において左側面）及び下面が開放された直方体形状であるカバー部材８が適宜の様式によって装着されている。そして、このカバー部材８内には、カバー部材８の上壁内面から垂下する懸架柱１０が固定されている。懸架柱１０の下端にはソケット部材１２が配設されており、このソケット部材１２には通常の電球でよい光源１４が装着されている。図１及び図２から明確に理解される如く、光源１４は上記誘導路６の外側端に対向してその外側に位置せしめられていることが重要である。適宜の合成樹脂或いは金属薄板から形成することができるカバー部材８は、誘導路部材４の建築物外に延出している部分と共に懸架柱１０、ソケット部材１２及び光源１４を覆い、これらを雨及び埃から保護する。
【０００９】
上述したとおりの虫類放逐装置の作用を要約して説明すると、建築物内に虫類が進入した場合には、建築物内の照明を消灯して建築物内を暗くすると共に、光源１４を点灯する。かくすると、建築物内に進入した虫類は、誘導路６を通して建築物内に至る光源１４の光に誘われて誘導路６内に移動し、そして誘導路６を通って光源１４に向かって進み、建築物外に出る。誘導路６は少なくとも部分的に建築物内から建築物外に向かって断面積が漸次低減せしめられている故に、虫類は誘導路６を通って建築物内から建築物外へは容易に移動し得るが、誘導路６を通って一旦建築物外に出た虫類或いは建築物外にいた虫類が誘導路６の外側端から誘導路６内に進入することは充分に阻止乃至抑制される。
【００１０】
【発明の効果】
本発明の虫類放逐装置によれば、建築物内に進入した虫類を、虫類自体の行動特性を利用して容易に建築物外に放逐することができる。
【図面の簡単な説明】
【図１】本発明に従って構成された虫類放逐装置の好適実施形態を、一部を切り欠いて示す斜面図。
【図２】図１の虫類放逐装置の断面図。
【符号の説明】
２：建築物の壁
４：誘導路部材
６：誘導路
８：カバー部材
１４：光源
【図１】
2004097018.tif 000003
【図２】
2004097018.tif 000004
(57)【要約】　　　（修正有）【課題】比較的規模が小さくて、効果の大きいカラス追い払い装置を提供する。【解決手段】市町村の繁華街に集まるカラスを追い払い、また、果樹園などの被害を解消するために、カラスの形をした本体のお腹の中に、家庭用の電源で作動するタイマーとモーターを設置し、羽をバタバタさせ、ガアガア泣くようにした模型を、塀や木の枝等に取付ける。泣く時間は１０秒間とし、間隔は１０分と５分の２種類にして、現場に応じて間隔を調整できるようにする。【選択図】図１
2004097189.tif 000002
【特許請求の範囲】
【請求項１】
カラス．追い払い。本体のカラスのお腹の中に、モウタアーを設置して羽をバタバタさせる、嘴よりガアガア泣かせる、バタバタ〜ガアガアと泣く事でカラスが驚いて逃げて行く、タイマアーを使用して２種類の間隔にする、レバアを左右に動かす事で、１０分〜５分間隔の２種類にして、泣く時間は１０ビョウにする余り長く泣くと人が困るから、泣く音の調整もする用に現地に合わせて使用する。
【請求項２】
カラス．追い払い。本体のカラスの足の先に丸い板を取付ける角度を変える為で有る、其の丸い板をバンドで締める、本体のカラスがバタバタ〜ガアガア泣いても大丈夫で有る、電源は家庭の電気を使用する。
【発明の詳細な説明】
【０００１】
【発明の属する技術分野】
本発明は、カラス．追い払いで本体のお腹の中にモウタアで羽を動かすのと、ガアガア音を出す事にする、タイマアを使用してバタバタ〜ガアガアの時間の間隔をセット出来る用にする。
【０００２】
【発明が解決しようとする課題】
本発明は、カラス．追い払いで本体をカラスに見せかけて、カラスが捕まった用にバタバタ〜ガアガア泣く事で他のカラスは来なく成る。
【０００３】
【課題を解決するための手段】
市町村の繁華街に集まるカラスを追い払う為で、捕えられたカラスがバタバタ〜ガアガア暴れる用に見せる事で、他のカラスが驚いて来なく成る。
【０００４】
【発明の実施態様】
以下、本発明の一実施例を図を参照して説明する。カラス．追い払い．は塀とか木の枝とかに簡単に取付けやすくした。
１．カラス．追い払い．本体で有る、家庭の電源でモウタアを使用する。
２．カラスの口からガアガアと泣く用にする。
３．羽をバタバタさせる、捕まったカラス．の用に見せる。
４．カラスの足にバンドを掛けてブロックに固定する。
５．カラス、の足で有る。
６．カラス、の足の先に丸い板を取付けて、バンドで締めて取付ける。
７．バンドを、ナット、ビスで締める。
８．ブロック塀で有る。
【発明の効果】
請求項１記載の本発明は、カラス．追い払い．で有る、特に市町村の繁華街に集まる、カラス．を追い払う為で有る、又果樹園など有効で有る、此を皆様に提供する。
【図面の簡単な説明】
【図１】本発明の一実施例を示す、カラス．追い払い、のカラスが捕えられた全体図で有る、此を皆様に提供する。
【図１】
2004097189.tif 000003